(57)【特許請求の範囲】
【請求項１】
窓枠と、障子と、前記障子を回転可能に軸支する水平な回転軸とを備える横軸回転窓であって、
前記障子は、重心調整部材を取付可能な第一取付部および第二取付部を有し、
前記第一取付部は、前記重心調整部材の取付けによって前記障子の重心高さ位置を上方に調整可能に前記回転軸よりも上側に位置する前記障子の上面に形成され、
前記第二取付部は、前記重心調整部材の取付けによって前記障子の重心高さ位置を下方に調整可能に前記回転軸よりも下側に位置する前記障子の下面に形成され、
前記窓枠は、前記第一取付部に取り付けられる前記重心調整部材を覆う枠見付け片部を有し、
前記障子は、前記第二取付部に取り付けられる前記重心調整部材を覆う障子見付け片部を有し、
前記障子が閉鎖状態において、前記障子の重心見込み位置が前記回転軸の軸心に対して異なる見込み位置となるように、当該障子の見込み範囲内に前記回転軸の軸心見込み位置が設定される
ことを特徴とする横軸回転窓。
【請求項２】
請求項１に記載の横軸回転窓において、
前記障子の見込み方向における前記第一取付部および前記第二取付部の見込み位置は、前記軸心見込み位置に対して屋内外の一方側である
ことを特徴とする横軸回転窓。
【請求項３】
請求項１または請求項２に記載の横軸回転窓において、
前記回転軸は、軸部材および軸受部材を備えるヒンジによって構成され、
前記軸部材は前記窓枠に取り付けられ、
前記軸受部材は前記障子に取り付けられ、
前記軸部材および前記軸受部材の見込み方向における取付位置によって前記軸心見込み位置が前記窓枠および前記障子に対して設定される
ことを特徴とする横軸回転窓。
【発明の詳細な説明】
【技術分野】
【０００１】
本発明は、障子が風を受けた際の風圧によって障子が自然に開閉して換気を行える横軸回転窓に関する。
【背景技術】
【０００２】
従来、横軸回転窓として、窓枠と、障子（障子部）と、窓枠に対して障子を回転自在に軸支する水平な回転軸とを備え、障子にバランスウェートが設けられた窓が知られている（特許文献１参照）。回転軸は、上下方向における障子の中央位置よりも上方位置に偏心して配置されている。バランスウェートは、障子のうち回転軸よりも上側部分に室内側に張り出して設けられており、このバランスウェートによって障子の閉鎖位置から開放位置までの回転角度（開放角度）を調整している。
この窓では、障子の回転軸よりも下側部分の受風圧面積は、障子の回転軸の上側部分の受風圧面積よりも大きく形成されている。このため、障子に作用する風力は、回転軸よりも下側部分と上側部分とで逆方向に作用するが、下側部分に作用する力が上側部分に作用する力を上回って障子に閉鎖方向の回転力が生じる。
【先行技術文献】
【特許文献】
【０００３】
【特許文献１】特許第３１２８５６６号公報
【発明の概要】
【発明が解決しようとする課題】
【０００４】
ところで、特許文献１に記載の窓では、上方位置に偏心して配置された回転軸に軸支される障子の開放角度を調整するためにバランスウェートが設けられるため、例えば回転軸が上下方向における障子の中心位置に配置される場合と比べて、回転軸まわりの障子のモーメントの設定が困難である。
また、この窓ではガラス種が限定されており、所定ガラス種に代えて複層ガラスなどの他種のものを障子として採用すると、障子の重量や見込み方向における重心位置が異なり、障子とバランスウェートとの重量、位置バランスが変わってしまう。このため、障子の回転軸まわりのモーメントを予め設定したモーメントに設定することが困難である。
【０００５】
本発明の目的は、障子に応じて当該障子のモーメントを設定できる横軸回転窓を提供することにある。
【課題を解決するための手段】
【０００６】
本発明の横軸回転窓は、窓枠と、障子と、前記障子を回転可能に軸支する水平な回転軸とを備える横軸回転窓であって、前記障子は、重心調整部材を取付可能な第一取付部および第二取付部を有し、前記第一取付部は、前記重心調整部材の取付けによって前記障子の重心高さ位置を上方に調整可能に前記回転軸よりも上側に位置する前記障子の上面に形成され、前記第二取付部は、前記重心調整部材の取付けによって前記障子の重心高さ位置を下方に調整可能に前記回転軸よりも下側に位置する前記障子の下面に形成され、前記窓枠は、前記第一取付部に取り付けられる前記重心調整部材を覆う枠見付け片部を有し、前記障子は、前記第二取付部に取り付けられる前記重心調整部材を覆う障子見付け片部を有し、前記障子が閉鎖状態において、前記障子の重心見込み位置が前記回転軸の軸心に対して異なる見込み位置となるように、当該障子の見込み範囲内に前記回転軸の軸心見込み位置が設定されることを特徴とする。
【０００７】
本発明の横軸回転窓によれば、第一取付部や第二取付部に重心調整部材を取り付けることによって障子の重心高さ位置を設定でき、かつ、回転軸を障子の見込み範囲内における任意位置に取り付けることによって回転軸の軸心見込み位置を設定できる。このように設定することで、各種の障子に応じて、回転軸の軸心から障子の重心までの距離を所定距離
にし、かつ、障子の閉鎖位置から開放位置までにおける当該障子の回転角度（開放角度）を所定角度にして、障子の回転軸まわりのモーメントを設定できる。
また、このような構成によれば、第一取付部および第二取付部に取り付けられる重心調整部材が露呈することを、枠見付け片部および障子見付け片部によって抑制できる。さらに、障子が障子見付け片部を有するので、障子が風を受ける受風圧面積を当該障子の上側部分よりも下側部分で大きくできる。
【０００８】
本発明の横軸回転窓では、前記障子の見込み方向における前記第一取付部および前記第二取付部の見込み位置は、前記軸心見込み位置に対して屋内外の一方側であることが好ましい。
このような構成によれば、第一取付部の見込み位置が軸心見込み位置に対して屋内外の一方側であって第二取付部の見込み位置が軸心見込み位置に対して屋内外の他方側にある場合と比べて、障子の重心高さ位置の調整が容易である。
【０００９】
本発明の横軸回転窓では、前記第一取付部および前記第二取付部のうちの少なくとも一方に前記重心調整部材が取り付けられた状態における前記障子の回転角度は、前記重心高さ位置に対する前記軸心見込み位置の位置決めによって、当該重心調整部材が取り付けられていない状態における前記障子の回転角度と同じとされることが好ましい。
このような構成によれば、第一取付部および第二取付部のうちの少なくとも一方に重心調整部材を取り付けても、障子の回転角度を変えることなく、回転軸の軸心から障子の重心までの距離を変えることができ、障子の回転軸まわりのモーメントを所望に設定できる。
【発明の効果】
【００１１】
本発明によれば、障子に応じて当該障子のモーメントを設定できる横軸回転窓を提供できる。
【図面の簡単な説明】
【００１２】
【図１】本実施形態に係る横軸回転窓の内観姿図。
【図２】図１に示すＩＩ−ＩＩ線に沿った横断面図。
【図３】図１に示すＩＩＩ−ＩＩＩ線に沿った横断面図。
【図４】図１に示すＶＩ−ＩＶ線に沿った縦断面図。
【図５】前記実施形態に係る横軸回転窓の重心調整部材を主に示す縦断面図。
【図６】前記実施形態に係る横軸回転窓のヒンジを主に示す斜視図。
【図７】前記実施形態に係る横軸回転窓の障子のモーメント設定を示す説明図。
【図８】前記実施形態に係る横軸回転窓の障子の回転角度と風速との関係を示すグラフ。
【図９】本発明の変形例に係る横軸回転窓の縦断面図。
【発明を実施するための形態】
【００１３】
［本実施形態の構成］
以下、本発明の実施形態を図面に基づいて説明する。
図１〜４において、連窓１は、二つの本実施形態に係る横軸回転窓２（自然換気窓）を左右に配置して構成されている。
連窓１は、図１に示すように、左右の縦枠３，４と、縦枠３，４の上端間および下端間を連結する上枠５、下枠６と、連窓１の左右方向の中間位置で上枠５、下枠６間に配置された方立７とを備える。左右の縦枠３，４、上枠５、下枠６および方立７は、アルミ押出形材によってそれぞれ形成されている。
従って、屋外側から見て左側の縦枠３と、上枠５および下枠６と、方立７（縦枠）とで、左側の横軸回転窓２の窓枠１０が構成される。また、屋外側から見て右側の縦枠４と、上枠５および下枠６と、方立７（縦枠）とで、右側の横軸回転窓２の窓枠１０が構成される。
【００１４】
図２に示すように、縦枠３のヒンジ３０よりも上側部分には、縦枠屋外見付け片部３５と、縦枠屋内見付け片部３６とが形成されている。縦枠屋外見付け片部３５は縦枠屋内見付け片部３６よりも見付け寸法が大きく形成されている。縦枠屋外見付け片部３５の屋内面には水密材１５が装着されており、縦枠屋内見付け片部３６の屋内面には気密材１６が装着されている。
縦枠４のヒンジ３０よりも上側部分には、縦枠屋外見付け片部４５と、縦枠屋内見付け片部４６とが形成されている。縦枠屋外見付け片部４５は縦枠屋内見付け片部４６よりも見付け寸法が大きく形成されている。縦枠屋外見付け片部４５の屋内面には水密材１５が装着されており、縦枠屋内見付け片部４６の屋内面には気密材１６が装着されている。
方立７のヒンジ３０よりも上側部分には、方立屋外見付け片部７５と、方立屋内見付け片部７６とが形成されている。方立屋外見付け片部７５は方立屋内見付け片部７６よりも見付け寸法が大きく形成されている。方立屋外見付け片部７５の屋内面には水密材１５が装着されており、方立屋内見付け片部７６の屋内面には気密材１６が装着されている。
【００１５】
図３に示すように、縦枠３のヒンジ３０よりも下側部分には、縦枠屋内見付け片部３７が形成されている。縦枠屋内見付け片部３７の屋外面には気密材１６が装着されている。
縦枠４のヒンジ３０よりも下側部分には、縦枠屋内見付け片部４７が形成されている。縦枠屋内見付け片部４７の屋外面には気密材１６が装着されている。
方立７のヒンジ３０よりも下側部分には、方立屋内見付け片部７７が形成されている。方立屋内見付け片部７７の屋外面には気密材１６が装着されている。
【００１６】
上枠５は、図４，５に示すように、略コ字形状の上枠本体部５１と、屋外部分から下方に垂下した上枠屋外見付け片部５２（枠見付け片部）とを有している。上枠本体部５１の屋内面には気密材１６が装着されており、上枠屋外見付け片部５２の屋内面には水密材１５が装着されている。
下枠６は、その屋内側部分が屋外側部分よりも上方に立ち上げられて形成されている。下枠６の屋内側部分の屋外面には気密材１６が装着されている。
【００１７】
縦枠３，４には、図２に示すように、各横軸回転窓２の障子２０が、図４に実線で示す障子２０の全閉位置（閉鎖位置）から図４に二点鎖線で示す障子２０の全開位置（開放位置）まで回転自在に、ヒンジ３０（図６参照）を介して軸支されている。
また、縦枠３，４には、全開位置にある各障子２０に当接する戸当り部材８が取り付けられている。
【００１８】
各障子２０は、図１に示すように、同一構造の障子であり、左右の縦框２１，２２と、上框２３と、下框２４とを枠組みし、その内部にガラスパネル２５を組み込んで構成されている。
【００１９】
図２に示すように、縦框２１，２２のヒンジ３０よりも上側部分には、障子２０が全閉位置にある全閉状態（閉鎖状態）で各屋内見付け片部３６，４６，７６の気密材１６に当接する縦框屋内見付け片部２６が形成されている。
【００２０】
図３に示すように、縦框２１，２２のヒンジ３０よりも下側部分には、縦框屋外見付け片２７と、縦框屋内見付け片部２８とが形成されている。縦框屋外見付け片２７は縦框屋内見付け片部２６，２８よりも見付け寸法が大きく形成されている。各縦框屋外見付け片２７の屋内面には、全閉状態で縦枠３，４および方立７にそれぞれ当接する水密材１５が装着されている。
【００２１】
図５に示すように、上框２３は、上框屋外見付け片部２３１と、上框見込み片部２３２，２３３と、上框屋内見付け片部２３４とを有しており、上框見込み片部２３２には、上側重心調整部材１７（重心調整部材）を取り付け可能な第一取付部２３５が形成されており、上框見込み片部２３３には押縁２３６が係合している。
【００２２】
上框屋外見付け片部２３１には、上框見込み片部２３２，２３３が連続しており、上框見込み片部２３２，２３３には上框屋内見付け片部２３４が連続している。上框見込み片部２３２は、上框見込み片部２３３よりも上方に位置し、障子２０の上面を形成している。上框屋外見付け片部２３１は、上框見込み片部２３３よりも下方に垂下して形成されている。上框屋内見付け片部２３４は、上框見込み片部２３２よりも上方に立ち上げられて形成されており、全閉状態で上枠５に装着された気密材１６に当接する。上框屋外見付け片部２３１と上框見込み片部２３２との連続部分には段部が形成されており、この段部が全閉状態で上枠屋外見付け片部５２に装着された水密材１５に当接する。上框屋外見付け片部２３１と押縁２３６との間には、ガラスパネル２５が配置されており、ガラスパネル２５と下框見込み片部２４３との間には、セッティングブロックが配置されている。
【００２３】
第一取付部２３５は、ヒンジ３０の軸心１１よりも屋内側寄りに配置されている。第一取付部２３５は、上側重心調整部材１７が配置される溝を形成しており、上側重心調整部材１７が溝に配置されてネジ止めされる。なお、上側重心調整部材１７は数十グラムでよい。
全閉状態では、第一取付部２３５に取り付けられる上側重心調整部材１７は、屋外側から上枠屋外見付け片部５２によって覆われており、屋内側から上框屋内見付け片部２３４に覆われている。従って、全閉状態では、上側重心調整部材１７は屋内外に露出しない。
【００２４】
図５に示すように、下框２４は、下框屋外見付け片部２４１（障子見付け片部）と、下框見込み片部２４２，２４３と、下框屋内見付け片部２４４とを有しており、下框見込み片部２４２には、下側重心調整部材１８（重心調整部材）を取り付け可能な第二取付部２４５が形成されており、下框見込み片部２４３には押縁２４６が係合している。
【００２５】
下框屋外見付け片部２４１には、下框見込み片部２４２，２４３が連続しており、下框見込み片部２４２，２４３には下框屋内見付け片部２４４が連続している。下框見込み片部２４２は、下框見込み片部２４３よりも下方に位置し、障子２０の下面を形成している。下框屋外見付け片部２４１は、下框見込み片部２４２よりも下方に垂下し、かつ、下框見込み片部２４３よりも上方に立ち上げられて形成されている。下框屋内見付け片部２４４は、全閉状態で下枠６に装着された気密材１６に当接する。下框屋外見付け片部２４１と押縁２４６との間には、ガラスパネル２５が配置されている。
【００２６】
第二取付部２４５は、ヒンジ３０の軸心１１よりも屋内側寄りであって、障子２０の見込み方向における第一取付部２３５の見込み位置と同じ見込み位置に配置されている。第二取付部２４５は、下側重心調整部材１８が配置される溝を形成しており、下側重心調整部材１８が溝に配置されてネジ止めされる。なお、下側重心調整部材１８は数十グラムでよい。
全閉状態では、第二取付部２４５に取り付けられる下側重心調整部材１８は、屋外側から下框屋外見付け片部２４１に覆われており、屋外側から下枠６の屋内側部分に覆われている。従って、全閉状態では、下側重心調整部材１８は屋内外に露出しない。
【００２７】
ここで、各障子２０の重心１２の高さ位置（重心高さ位置）は、上側重心調整部材１７および下側重心調整部材１８のうちの少なくとも一方を障子２０に取り付けることによって設定される。具体的には、上側重心調整部材１７を第一取付部２３５に取り付けることによって重心高さ位置が上げられ、また、下側重心調整部材１８を第二取付部２４５に取り付けることによって重心高さ位置が下げられる。また、上側重心調整部材１７および下側重心調整部材１８の双方を取り付ける場合であっても、上側重心調整部材１７と下側重心調整部材１８との重量比によって、重心高さ位置を上下方向に設定される。
【００２８】
各障子２０では、縦框２１，２２のヒンジ３０よりも下側部分の見付け寸法は、ヒンジ３０よりも上側部分の見付け寸法よりも大きく形成されており、下框２４の見付け寸法は、上框２３の見付け寸法よりも大きく形成されている。このため、各障子２０は、ヒンジ３０よりも下側部分の受風圧面積は、ヒンジ３０よりも上側部分の受風圧面積よりも大きくされている。
【００２９】
ヒンジ３０は、窓枠１０に対して障子２０を回転自在に軸支する水平な回転軸として構成されており、障子２０の左右にそれぞれ配置される。すなわち、図２に示すように縦枠３と縦框２１との間、縦框２２と方立７との間、方立７と縦框２１との間、縦框２２と縦枠４との間にそれぞれ配置される。
ヒンジ３０の屋外側はヒンジカバー１３によって覆われている。ヒンジ３０の屋内側は水密部材１４によって覆われている。
【００３０】
各ヒンジ３０の構成は同一である。ヒンジ３０は、図６に示すように、軸部材３１と、軸部材３１に回動自在に連結される軸受部材３２とを有して構成されている。軸部材３１は枠側に取り付けられ、軸受部材３２は框側に取り付けられている。これらの取付位置を連窓１の見込み方向に調整することで、各ヒンジ３０の軸心１１の見込み位置（軸心見込み位置）が窓枠１０および障子２０に対して設定される。軸心見込み位置は、障子２０の見込み範囲内、本実施形態では縦框屋外見付け片２７と縦框屋内見付け片部２８との間における軸受部材３２の障子２０に対する取付けによって設定される。
【００３１】
各ヒンジ３０の軸心１１は、図４に示すように、各障子２０の上下方向における中心位置であって各障子２０の重心１２よりも屋外側に離れた位置に設定されている。つまり、重心１２の重心見込み位置は、無風状態で軸心見込み位置に対して屋内側の位置に設定されている。このように設定されることで、障子２０には、その自重に基づいて上端側が屋内側に移動し、かつ、下端側が屋外側に移動する方向の軸心１１まわりのモーメントが発生し、障子２０は全閉位置から全開位置に向かって自然に開放移動する。これにより、障子２０は、無風時には全開位置に自動的に回転し、横軸回転窓２を自然換気状態にする。本実施形態では、全開位置にある障子２０の最大回転角度（開放角度）は４５°であるが、例えば３０°や４５°〜３０°の範囲内の任意角度などに設定することも可能である。
本実施形態では、全閉状態では、障子２０の重心１２は図４に示すようにヒンジ３０の軸心１１に対して屋内側であって斜め下に位置する。全開状態では、障子２０の重心１２はヒンジ３０の軸心１１に対して鉛直線上であって下方（真下）に位置する。
【００３２】
［障子のモーメント設定］
障子２０の高さ寸法および幅寸法や、障子２０の種類（単層ガラスや複層ガラスなど）ごとに障子２０の重心１２は異なった位置となり、障子２０の自重に基づく軸心１１まわりのモーメントも異なることとなる。以下、これら各種の障子２０を採用する場合におけるモーメント設定について説明する。
図７では、ヒンジ３０の軸心１１と、障子２０の重心１２と、障子２０の開放角度θ（本実施形態では４５°）と、軸心１１から重心１２までの距離Ｌとを示している。
【００３３】
図７（Ａ）は、予め設定した基準となるモーメント（基準モーメント）を発生する基準となる開放角度θおよび距離Ｌを示している。横軸回転窓２が図７（Ａ）に示す開放角度θおよび距離Ｌに設定される場合、障子２０が受ける風速と障子２０の開放角度θとの関係は、図８のグラフに実線８０で示される関係となる。図８では、縦軸に開放角度θを示し、横軸に風速を示している。この横軸では、図８に示す左側の位置から右側の位置に向かって無風から強風となっている。なお、図８において、説明の便宜上、位置Ｘを風Ｗによって最大閉鎖される閉鎖位置として設定している。この閉鎖位置は、風Ｗによって閉鎖移動する障子２０の下框２４が、下枠６に設けられたけり出し部材（円弧状に湾曲して形成された板バネ部材）に当接する位置であり、図４に示す全閉位置に対して若干開放した位置である。
【００３４】
図７（Ｂ）に実線で示す距離Ｌが二点鎖線で示す距離Ｌ（図７（Ａ）に示す距離Ｌ）よりも短い場合、障子２０の軸心１１まわりのモーメントが基準モーメントよりも小さく、障子２０が風Ｗを受けて動きやすい状態となる。障子２０が受ける風速と障子２０の開放角度θとの関係は、図８のグラフに一点鎖線８１で示される関係となる。
この場合、次のようにして障子２０のモーメントを基準モーメントに合せる設定を行う。先ず、第二取付部２４５に下側重心調整部材１８を取り付け、図７（Ｂ）に実線で示す重心位置から二点鎖線で示す重心位置まで、重心１２を下げて重心高さ位置を設定する。次に、重心１２の重心高さ位置に応じて、図７（Ｂ）に実線で示す軸心位置から二点鎖線で示す軸心位置まで、軸心１１を障子２０の見込み方向であって屋外側に軸心見込み位置を設定する。このとき、図７（Ｂ）に実線で示す開放角度θと二点鎖線で示す開放角度θとが等しい角度となるように、軸心見込み位置を設定する。
このようにして、開放角度θを変えることなく距離Ｌを長く設定して、障子２０のモーメントを基準モーメントに合せる。
【００３５】
図７（Ｃ）に実線で示す距離Ｌが二点鎖線で示す距離Ｌ（図７（Ａ）に示す距離Ｌ）よりも長い場合、障子２０の軸心１１まわりのモーメントが基準モーメントよりも大きく、障子２０が風Ｗを受けて動きにくい状態となる。障子２０が受ける風速と障子２０の開放角度θとの関係は、図８のグラフに点線８２で示される関係となる。
この場合、次のようにして障子２０のモーメントを基準モーメントに合せる設定を行う。先ず、第一取付部２３５に上側重心調整部材１７を取り付け、図７（Ｃ）に実線で示す重心位置から二点鎖線で示す重心位置まで、重心１２を上げて重心高さ位置を設定する。次に、重心１２の重心高さ位置に応じて、図７（Ｃ）に実線で示す軸心位置から二点鎖線で示す軸心位置まで、軸心１１を障子２０の見込み方向であって屋内側に軸心見込み位置を設定する。このとき、図７（Ｃ）に実線で示す開放角度θと二点鎖線で示す開放角度θとが等しい角度となるように、軸心見込み位置を設定する。
このようにして、開放角度θを変えることなく距離Ｌを短く設定して、障子２０のモーメントを基準モーメントに合せる。
【００３６】
［本実施形態の動作］
以下、本実施形態に係る連窓１の動作について説明する。
先ず、無風時には、障子２０は、全閉位置から全開位置側にけり出し部材によってけり出された閉鎖位置から、当該障子２０の自重に基づく軸心１１まわりのモーメントによって全開位置に向かって開放方向に回転し、全開位置で静止する。
屋外側から屋内側に向かって風Ｗが吹いた場合、風上側に位置する障子２０の軸心１１よりも下側部分に屋外側から屋内側に向かう正圧が加わる。障子２０が風Ｗを受けて当該障子２０を閉鎖方向に回転するモーメントが、障子２０をその自重に基づいて開放方向に回転するモーメントよりも大きくなった場合には、障子２０は全開位置から全閉位置に向かって閉鎖移動し、障子２０がけり出し部材に当接した閉鎖位置で風Ｗに基づく最大閉鎖状態となる。
なお、前記風Ｗに基づく最大閉鎖状態で障子２０がけり出し部材を超えて閉鎖方向に操作され、図４に実線で示す全閉位置に配置された場合には、図示しないロック機構によって障子２０の開放方向の回転は解除可能にロックされる。
【００３７】
［本実施形態の効果］
（１）本実施形態では、横軸回転窓２は、窓枠１０と、障子２０と、障子２０を回転可能に軸支するヒンジ３０とを備える横軸回転窓２であって、障子２０は、ヒンジ３０よりも上側部分に設けられる第一取付部２３５と、ヒンジ３０よりも下側部分に設けられる第二取付部２４５とを有し、障子２０の重心高さ位置は、第一取付部２３５および前記第二取付部２４５のうちの少なくとも一方に取り付けられる重心調整部材（上側重心調整部材１７、下側重心調整部材１８）によって設定され、障子２０が閉鎖状態において、障子２０の重心見込み位置がヒンジ３０の軸心１１に対して異なる見込み位置となるように、当該障子２０の見込み範囲内にヒンジ３０の軸心見込み位置が設定されることを特徴とする。
上記構成を有するため、第一取付部２３５や第二取付部２４５に上側重心調整部材１７や下側重心調整部材１８を取り付けることによって障子２０の重心高さ位置を設定でき、かつ、ヒンジ３０を障子２０の見込み範囲内における任意位置に取り付けることによってヒンジ３０の軸心見込み位置を設定できる。このように設定することで、各種の障子２０に応じて、ヒンジ３０の軸心１１から障子２０の重心１２までの距離Ｌを予め設定した距離に設定し、かつ、障子２０の開放角度θを予め設定した開放角度θに設定して、障子２０のヒンジ３０まわりのモーメントを基準モーメントに合せて設定できる。
さらに、本実施形態では、以下の各効果を発揮できる。
（２）障子２０の見込み方向における第一取付部２３５および第二取付部２４５の見込み位置は、軸心見込み位置に対して屋内側の一方側、本実施形態では屋内側である。このため、第一取付部２３５の見込み位置が軸心見込み位置に対して屋内外の一方側であって第二取付部２４５の見込み位置が軸心見込み位置に対して屋内外の他方側である場合と比べて、障子２０の重心高さ位置の調整が容易である。
（３）第一取付部２３５および第二取付部２４５のうちの少なくとも一方に重心調整部材（上側重心調整部材１７、下側重心調整部材１８）が取り付けられた状態における障子２０の開放角度θは、重心高さ位置に対する軸心見込み位置の位置決めによって、当該重心調整部材が取り付けられていない状態における障子２０の開放角度θと同じとされる。このため、第一取付部２３５および第二取付部２４５のうちの少なくとも一方に重心調整部材を取り付けても、障子２０の開放角度θを変えることなく、ヒンジ３０の軸心１１から障子２０の重心１２までの距離Ｌを変えることができ、障子２０の軸心１１まわりのモーメントを所望に設定できる。
（４）第一取付部２３５は、障子２０の上面に形成され、窓枠１０は、第一取付部２３５に取り付けられる上側重心調整部材１７を屋外側から覆う上枠５の上枠屋外見付け片部５２を有し、第二取付部２４５は、障子２０の下面に形成され、障子２０は、第二取付部２４５に取り付けられる下側重心調整部材１８を屋外側から覆う下框２４の下框屋外見付け片部２４１を有する。このため、第一取付部２３５および第二取付部２４５に取り付けられる上側重心調整部材１７、下側重心調整部材１８が外観上露呈することを、各屋外見付け片部５２，２４１によって抑制できる。さらに、障子２０が下框屋外見付け片部２４１を有するので、障子２０が風Ｗを受ける受風圧面積を当該障子２０のヒンジ３０よりも上側部分よりも下側部分で大きくでき、風Ｗに基づく障子２０の軸心１１まわりの閉鎖方向のモーメントを、より適切に生じさせることができる。
【００３８】
［変形例］
本発明は、以上の実施形態で説明した構成のものに限定されず、本発明の目的を達成できる範囲での変形例は、本発明に含まれる。
例えば、前記実施形態では、単層ガラスとして構成される障子２０を備えているが、これに限らず、例えば図９に示すように複層ガラスとして構成される障子２０Ａを備えていてもよい。この場合、障子２０と障子２０Ａとでは重心位置が異なり、軸心１１まわりのモーメントも異なるので、前述したモーメント設定を行う。
【００３９】
前記実施形態では、障子２０は、上端側が屋内側に移動し、かつ、下端側が屋外側に移動する方向の開放移動を行う構成とされているが、逆に、上端側が屋外側に移動し、かつ、下端側が屋内側に移動する方向の開放移動を行う構成とされてもよい。この場合、障子２０の重心１２はヒンジ３０の軸心１１よりも屋外側に配置される。
【００４０】
前記実施形態では、障子２０の見込み方向における第一取付部２３５および第二取付部２４５の見込み位置は同じであるが、これに限らず、第一取付部２３５が第二取付部２４５よりも屋外側または屋内側に位置していてもよい。
また、第一取付部２３５は上框２３のホロー部（上框屋外見付け片部２３１、上框見込み片部２３２，２３３、上框屋内見付け片部２３４によって形成されるホロー部）に配置されてもよく、第二取付部２４５は下框２４のホロー部（下框屋外見付け片部２４１、下框見込み片部２４２，２４３、下框屋内見付け片部２４４によって形成されるホロー部）に配置されてもよい。
【００４１】
前記実施形態では、第一取付部２３５および第二取付部２４５のうちの少なくとも一方に重心調整部材（上側重心調整部材１７、下側重心調整部材１８）が取り付けられた状態における障子２０の開放角度θは、障子２０の重心高さ位置に対するヒンジ３０の軸心見込み位置の位置決めによって、当該重心調整部材が取り付けられていない状態における障子２０の開放角度θと同じとされるが、これに限定されず、大きな開放角度θまたは小さな開放角度θとされてもよい。
【００４２】
前記実施形態では、上枠５は、第一取付部２３５に取り付けられる上側重心調整部材１７を覆う上枠屋外見付け片部５２を有し、下框２４は、第二取付部２４５に取り付けられる下側重心調整部材１８を覆う下框屋外見付け片部２４１を有しているが、これらの構成を省略してもよい。
【００４３】
前記実施形態では、全開状態では、障子２０の重心１２はヒンジ３０の軸心１１に対して鉛直線上であって下方（真下）に位置するが、これに限らず、例えば、重心１２が軸心１１に対して鉛直線上に至る手前の位置で、各障子２０が各戸当り部材８に当接した位置を全開状態としてもよい。なお、この場合でも、障子２０の開放角度は、障子２０の全閉位置から全開位置（重心１２が軸心１１に対して鉛直線上であって下方にある位置）として設定される。
【符号の説明】
【００４４】
１…連窓、２…横軸回転窓、３，４…縦枠、５…上枠、６…下枠、７…方立、８…戸当り部材、１０…窓枠、１１…軸心、１２…重心、１３…ヒンジカバー、１４…水密部材、１５…水密材、１６…気密材、１７…上側重心調整部材、１８…下側重心調整部材、２０，２０Ａ…障子、２１，２２…縦框、２３…上框、２４…下框、２５…ガラスパネル、２６，２８…縦框屋内見付け片部、３６，３７，４６，４７…縦枠屋内見付け片部、７６，７７…方立屋内見付け片部、２３４…上框屋内見付け片部、２４４…下框屋内見付け片部、２７…縦框屋外見付け片、３０…ヒンジ（回転軸）、３１…軸部材、３２…軸受部材、５１…上枠本体部、３５，４５…縦枠屋外見付け片部、５２…上枠屋外見付け片部（枠見付け片部）、７５…方立屋外見付け片部、２３１…上框屋外見付け片部、２４１…下框屋外見付け片部（障子見付け片部）、２３２，２３３…上框見込み片部、２４２，２４３…下框見込み片部、２３５…第一取付部、２３６，２４６…押縁、２４５…第二取付部、Ｌ…距離、Ｗ…風、θ…開放角度（回転角度）。
【図１】
0006473385.tif 000002
【図２】
0006473385.tif 000003
【図３】
0006473385.tif 000004
【図４】
0006473385.tif 000005
【図５】
0006473385.tif 000006
【図６】
0006473385.tif 000007
【図７】
0006473385.tif 000008
【図８】
0006473385.tif 000009
【図９】
0006473385.tif 000010